【手続補正書】
【提出日】平成29年3月2日(2017.3.2)
【手続補正１】
【補正対象書類名】特許請求の範囲
【補正対象項目名】全文
【補正方法】変更
【補正の内容】
【特許請求の範囲】
【請求項１】
複数の流体通路と;
該複数の流体通路を接続する少なくとも1つの合流点と;
少なくとも1つの高性能流体アクチュエータを含む少なくとも2つの流体輸送手段であって、
該少なくとも1つの高性能流体アクチュエータが、
少なくとも10-8ワットの、および動力を少なくとも30秒間持続することができる、流体動力発生能力、および
10秒未満の該流体動力発生のための応答時間
を有する、カートリッジ内部の個別の構成要素である、前記少なくとも2つの流体輸送手段と
を含む、マイクロ流体カートリッジ。
【請求項２】
500立方センチメートル以下の排水量を有する、請求項1記載のカートリッジ。
【請求項３】
少なくとも1つの高性能流体アクチュエータが、電力を流体動力に変換することができる、請求項1記載のカートリッジ。
【請求項４】
動力発生のための応答時間が、2秒未満である、請求項1記載のカートリッジ。
【請求項５】
液体が、毎分少なくとも0.1mLの流量で、少なくとも1kPaの圧力降下に関連する流体抵抗を通って流れるように、アクチュエータが、少なくとも10マイクロリットルの液体を加圧することができる、請求項1記載のカートリッジ。
【請求項６】
少なくとも1つの高性能流体アクチュエータが、界面動電効果によって流体動力を生成することができる、請求項1記載のカートリッジ。
【請求項７】
界面動電効果が、電気浸透流を含み、電気浸透流が、任意で、少なくとも1つの流体アクチュエータの各々の内部の複数の細隙キャピラリー内部で、少なくとも1つの流体アクチュエータの各々の内部の充填ビーズのベッド内部で、少なくとも1つの流体アクチュエータの各々の内部の一体型多孔質構造内部で、または少なくとも1つの流体アクチュエータの各々の内部の円筒形チャネルのアレイ内部で、発生される、請求項6記載のカートリッジ。
【請求項８】
処理流体を受け入れるための、かつ流体通路のネットワークに結合された第二の開口部をさらに含む、請求項1記載のカートリッジ。
【請求項９】
処理流体が、細胞または細胞小器官を溶解することができる第一の試薬;組織サンプルまたは他の不均質な生物学的物質を均質化することができる均質化溶液;生細胞、組織または生物体の生物活性を減少させるかまたは除去することができる溶液;出発物質の機械的破砕を引き起こすことができるガラスビーズまたは他の固形物質;グリコーゲンまたは他の多糖;またはキャリアRNAを任意で含む、請求項8記載のカートリッジ。
【請求項１０】
アクチュエータ流体を受け入れるための、かつ少なくとも1つの高性能流体アクチュエータに結合された第三の開口部をさらに含む、請求項1記載のカートリッジ。
【請求項１１】
流体通路のネットワークの一部分が、第二の試薬を含み、第二の試薬が、任意で、シリカビーズもしくは粒子、常磁性ビーズ、蛍光ビーズもしくは蛍光分子、化学発光分子、ランタニドもしくはランタニドキレート、または任意でシグナリング分子に連結されているモノクローナルもしくはポリクローナル抗体である、請求項1記載のカートリッジ。
【請求項１２】
第二の試薬が、オリゴヌクレオチドプローブもしくはプライマー、プローブの組み合わせ、またはプライマーの組み合わせを含み、任意で、該オリゴヌクレオチドプローブが、ヒト免疫不全ウイルスの遺伝物質の規定領域、C型肝炎ウイルスの遺伝物質の規定領域、またはB型肝炎ウイルスの遺伝物質の規定領域に特異的に結合する、請求項11記載のカートリッジ。
【請求項１３】
オリゴヌクレオチドプローブが、任意で、マイコバクテリウム・ツベルクローシス（M. tuberculosis）細菌の遺伝物質の規定領域、クラミジア・トラコマチス（C. trachomatis）細菌の遺伝物質の規定領域、インフルエンザウイルス、呼吸器合胞体ウイルスもしくはヒト気道の別のウイルスの遺伝物質の規定領域、または癌遺伝子のDNAまたはRNAの規定領域に特異的に結合する、請求項12記載のカートリッジ。
【請求項１４】
第二の試薬が、光増感剤分子および光活性指示体前駆体分子を含み、該光増感剤分子および光活性指示体前駆体分子が、任意で、
ａ．1つまたは複数の増感剤、1つまたは複数の増感剤オリゴヌクレオチド、およびかかる増感剤と増感剤オリゴヌクレオチドとを同じ場所に位置させるためのマトリクスを含む、少なくとも1つの増感剤標識粒子;ならびに
ｂ．1つまたは複数のエミッタ剤、1つまたは複数の増感剤オリゴヌクレオチド、およびかかるエミッタ剤とエミッタオリゴヌクレオチドとを同じ場所に位置させるためのマトリクスを含む、少なくとも1つのエミッタ標識粒子
を含む、
請求項11記載のカートリッジ。
【請求項１５】
第二の試薬が、任意で、量子ドットもしくは他の結晶性半導体粒子;核酸の配列非依存的測定のための核酸特異的な蛍光もしくは発光色素;フェルスター共鳴エネルギー転移（FRET）もしくは他の共鳴エネルギー移動プロセスに関与することができる分子;特異的細胞化合物の測定のための標識タンパク質、標識核酸もしくは標識糖質種;細胞の特異的もしくは非特異的標識化のための色素を含む溶液;またはプライマー、プローブ、もしくはプライマーとプローブとの組み合わせを含む、請求項11記載のカートリッジ。
【請求項１６】
出発物質が、任意で、流体相、流体を含んだマトリクスもしくは固相;血液、痰もしくは他の体液;生物組織;薬剤もしくはワクチンのための原材料もしくは中間物;農産物;または土もしくは別の環境サンプルを含む、請求項1記載のカートリッジ。
【請求項１７】
第一の物質を含む第一の流体通路および第二の物質を含む第二の流体通路をさらに含み、該第一の流体通路および該第二の流体通路が、マイクロ流体カートリッジ内に合流点を形成し、任意で、該合流点が、第一および第二の流体通路からの第一および第二の物質の融合から生じる1つまたは複数のマイクロ流体液滴の形成を可能にする、請求項1記載のカートリッジ。
【請求項１８】
1つまたは複数の液滴が各々、分析物または試薬;少なくとも1つのプライマー、およびポリメラーゼ連鎖反応、転写介在増幅、核酸配列を基にした増幅、もしくは少なくとも1つの標的核酸配列を増幅するための別の化学反応を触媒することができる酵素;標識;または細胞を任意で含む、請求項17記載のカートリッジ。
【請求項１９】
複数の流体通路が、増幅反応の段階を実施するための異なる温度ゾーンを含む、請求項1記載のカートリッジ。
【請求項２０】
複数の流体が、標識化またはハイブリダイゼーション反応を誘発するために、複数の流体通路内で合わされる、請求項1記載のカートリッジ。
【請求項２１】
請求項1〜20のいずれか一項記載のマイクロ流体カートリッジ;および
動力源を含み、かつ電力を該マイクロ流体カートリッジに供給するように適合された装置
を含む、システム。
【請求項２２】
前記装置が、任意で、アッセイ結果の指標を感知するように;カートリッジ内部で発生した可視光線または別のタイプの電磁放射を感知するように;カートリッジ内部の常磁性ビーズの位置または分布を感知するように;またはカートリッジ内部の種の電子スピン核磁気共鳴または他の物理的特性を感知するようにさらに適合されている、請求項21記載のシステム。
【請求項２３】
マイクロ流体カートリッジ内で、複数の流体通路に接続され、かかる流体通路の間に少なくとも1つの合流点を含むチャネルに、第一の流体を提供する工程であって、該マイクロ流体カートリッジが、少なくとも1つの高速マイクロ流体アクチュエータをさらに含み、該少なくとも1つの高性能流体アクチュエータが、該カートリッジ内部の個別の構成要素であり、かつ該少なくとも1つの高性能流体アクチュエータが、少なくとも10-8ワットの、および動力を少なくとも30秒間持続することができる流体動力発生能力と、10秒未満の動力発生のための応答時間とを有する、工程;ならびに、
該第一の流体および第二の流体が、流体の交互栓を発生させるために該流体通路のネットワーク内に導入されるように、該マイクロ流体アクチュエータを時変方式で動作させる工程であって、各栓量の長さが、かかる流体通路のうちの最小の平均直径の5倍未満である、工程
を含む、方法。
【請求項２４】
任意で、細胞膜内の少なくとも1つのタイプの分子に特異的な第二の流体内部の標識化分子または標識化粒子で、第一の流体内部の細胞のサブセットを標識する工程;第二の流体中に含有されている細胞透過色素で、第一の流体中の細胞を着色する工程;第二の流体中に含有されている光増感剤分子もしくは光活性指示体前駆体分子またはそれらの組み合わせで、第一の流体内部に含有されているDNAまたはRNAのサブセットを標識する工程;第二の流体中に含有されているランタニドキレートで、第一の流体内部に含有されているDNAまたはRNAのサブセットを標識する工程;第一の流体からの組織サンプルまたは他の不均質な生物学的物質を均質化する工程;または第二の流体中の機械的破砕のためのガラスビーズまたは他の固形物質で、第一の流体中の細胞または他の生物学的物質を溶解する工程をさらに含む、請求項23記載の方法。
【請求項２５】
第一の流体内部の細胞または他の生物学的物質を酵素で溶解する工程をさらに含み、該酵素が、任意で、リゾチームを含む、請求項23記載の方法。
【請求項２６】
第一の流体中の生細胞、組織または生物体の生物活性を減少させる工程をさらに含み、該生物活性を減少させる工程が、任意で、高塩基性溶液を使用することを含む、請求項23記載の方法。
【請求項２７】
スワブまたは多孔質マトリクスと第一の流体とを混合する工程をさらに含み、任意で、該スワブまたは多孔質マトリクス内部に結合されている土または他の環境サンプルを解放する工程を含む、請求項23記載の方法。
【請求項２８】
第一の流体が、樹状細胞を含み、方法において、任意で、攻撃に対する免疫応答の要素を誘導するために樹状細胞をパルスする、請求項23記載の方法。
【請求項２９】
薬理学的物質またはワクチンを生成する工程、または薬理学的物質の生物活性を増加させる工程をさらに含む、請求項23記載の方法。
【請求項３０】
第一の流体内部に含有されているDNAまたはRNA分子をグリコーゲンまたはシリカに結合させる工程をさらに含む、請求項23記載の方法。
【請求項３１】
シリカビーズまたはシリカ含有構造に結合されたDNAまたはRNA分子を精製する工程、および/またはグリコーゲンまたはシリカビーズもしくはシリカ含有構造から、該DNAおよびRNAを溶離する工程をさらに含む、請求項30記載の方法。
【請求項３２】
第一の流体中の分析物の存在または非存在を検出する工程をさらに含み、検出する工程が、任意で、分析物に結合されている化学発光もしくは蛍光分子からの可視光線もしくは別のタイプの電磁放射を感知すること;分析物に結合されている常磁性ビーズの位置もしくは分布を感知すること;または分析物に結合されている種の核磁気共鳴もしくは他の物理的特性を感知することを含む、請求項23〜31のいずれか一項記載の方法。
【請求項３３】
複数の流体通路内で複数の微液滴を発生させる工程をさらに含み、任意で、複数の微液滴が、少なくとも2つの流体を脈動させることによって形成され、該脈動させることが、マイクロ流体カートリッジ内の複数の高速マイクロ流体アクチュエータによって生じる、請求項23記載の方法。
【請求項３４】
任意で、複数の微液滴の各々の中の分析物の存在または非存在を検出する工程;マイクロ流体カートリッジ内の複数の温度ゾーンを通過して複数の微液滴を移動させることによって、複数の微液滴の各々において増幅反応を実施する工程;複数の微液滴の各々の中の標的アンプリコンの存在を検出する工程;または複数の微液滴の各々の中の標的核酸分子の融解温度を測定する工程、および任意で、参考菌株からのウイルスRNAの遺伝学的相違の融解温度分析を実施する工程をさらに含む、請求項33記載の方法。
【手続補正２】
【補正対象書類名】明細書
【補正対象項目名】００４２
【補正方法】変更
【補正の内容】
【００４２】
一態様において、方法はまた、複数の流体通路内で複数の微液滴を発生させるための工程を含む。別の態様において、複数の微液滴は、少なくとも2つの流体を脈動させることによって形成され、ここで、脈動させることは、マイクロ流体カートリッジ内の複数の高速マイクロ流体アクチュエータによって生じる。方法はまた、複数の微液滴の各々の中の分析物の存在または非存在を検出する工程を含むことができる。別の態様において、方法は、複数の微液滴をマイクロ流体カートリッジ内の複数の温度ゾーンを通過して移動させることによって、複数の微液滴の各々において増幅反応を実施する工程を含む。さらに別の態様において、方法は、複数の微液滴の各々の中の標的アンプリコンの存在を検出する工程を含む。方法はまた、該複数の微液滴の各々の中の標的核酸分子の融解温度（Tm）を測定する工程を含む。一態様において、方法は、参考菌株からのウイルスRNAの遺伝学的相違の融解温度（Tm）分析を実施する工程を含む。
[本発明1001]
複数の流体通路と;
該複数の流体通路を接続する少なくとも1つの合流点と;
少なくとも1つの高性能流体アクチュエータを含む少なくとも2つの流体輸送手段であって、
該少なくとも1つの高性能流体アクチュエータが、
少なくとも10-8ワットの、および動力を少なくとも30秒間持続することができる、流体動力発生能力、および
10秒未満の該流体動力発生のための応答時間
を有する、カートリッジ内部の個別の構成要素である、前記少なくとも2つの流体輸送手段と
を含む、マイクロ流体カートリッジ。
[本発明1002]
500立方センチメートル以下の排水量を有する、本発明1000のカートリッジ。
[本発明1003]
50立方センチメートル以下の排水量を有する、本発明1002のカートリッジ。
[本発明1004]
少なくとも1つの高性能流体アクチュエータが、電力を流体動力に変換することができる、本発明1000のカートリッジ。
[本発明1005]
電力の流体動力への変換が、中間エネルギー状態なしで起こる、本発明1004のカートリッジ。
[本発明1006]
少なくとも1つの高性能流体アクチュエータの動作が、外部デバイスから該少なくとも1つの高性能流体アクチュエータへの力学的エネルギーの移動を含まない、本発明1000のカートリッジ。
[本発明1007]
動力発生のための応答時間が、2秒未満である、本発明1000のカートリッジ。
[本発明1008]
動力発生のための応答時間が、0.2秒未満である、本発明1007のカートリッジ。
[本発明1009]
動力発生のための応答時間が、0.04秒未満である、本発明1008のカートリッジ。
[本発明1010]
液体が、毎分少なくとも0.1mLの流量で、少なくとも1kPaの圧力降下に関連する流体抵抗を通って流れるように、アクチュエータが、少なくとも10マイクロリットルの液体を加圧することができる、本発明1000のカートリッジ。
[本発明1011]
高性能アクチュエータが、パルス発生器または他の制御型時変電圧源および少なくとも1つの電極に結合されている、本発明1000のカートリッジ。
[本発明1012]
少なくとも1つの高性能流体アクチュエータが、界面動電効果によって流体動力を生成することができる、本発明1000のカートリッジ。
[本発明1013]
界面動電効果が、電気浸透流を含む、本発明1012のカートリッジ。
[本発明1014]
電気浸透流が、少なくとも1つの流体アクチュエータの各々の内部の複数の細隙キャピラリー内部で発生される、本発明1013のカートリッジ。
[本発明1015]
電気浸透流が、少なくとも1つの流体アクチュエータの各々の内部の充填ビーズのベッド内部で発生される、本発明1013のカートリッジ。
[本発明1016]
電気浸透流が、少なくとも1つの流体アクチュエータの各々の内部の一体型多孔質構造内部で発生される、本発明1013のカートリッジ。
[本発明1017]
電気浸透流が、少なくとも1つの流体アクチュエータの各々の内部の円筒形チャネルのアレイ内部で発生される、本発明1013のカートリッジ。
[本発明1018]
出発物質を流体通路のネットワーク内に受け入れるための開口部を含む、本発明1000のカートリッジ。
[本発明1019]
開口部が、栓またはキャッピング要素で閉鎖される、本発明1018のカートリッジ。
[本発明1020]
栓またはキャッピング要素が、流体導管を受け入れることができ、該流体導管が引き抜かれると密閉封鎖することができる、本発明1018のカートリッジ。
[本発明1021]
栓またはキャッピング要素によって受け入れられることができる流体導管が、針、管、剛性流体導管または半剛性流体導管を含む、本発明1020のカートリッジ。
[本発明1022]
栓またはキャッピング要素が、エラストマー材料を含む、本発明1020のカートリッジ。
[本発明1023]
栓またはキャッピング要素が、閉鎖機構を含む、本発明1020のカートリッジ。
[本発明1024]
動力源から少なくとも1つの高性能流体アクチュエータへの動力送達を制御することができる制御器をさらに含む、本発明1001のカートリッジ。
[本発明1025]
少なくとも1つの高性能流体アクチュエータに動作可能に結合された動力源をさらに含む、本発明1000のカートリッジ。
[本発明1026]
動力源が、外部デバイス内に位置され、かつ電気的接続によってカートリッジに結合される、本発明1025のカートリッジ。
[本発明1027]
動力源が、電気式である、本発明1025のカートリッジ。
[本発明1028]
動力源が、空気式である、本発明1025のカートリッジ。
[本発明1029]
動力源が、電池を含む、本発明1025のカートリッジ。
[本発明1030]
電池が、カートリッジの内側に位置される、本発明1029のカートリッジ。
[本発明1031]
電池が、外部デバイスの内側に位置され、かつ電気的接続によってカートリッジに結合される、本発明1029のカートリッジ。
[本発明1032]
処理流体を受け入れるための、かつ流体通路のネットワークに結合された第二の開口部をさらに含む、本発明1001のカートリッジ。
[本発明1033]
流体通路のネットワーク内部に収容された処理流体をさらに含む、本発明1001のカートリッジ。
[本発明1034]
処理流体が、細胞または細胞小器官を溶解することができる第一の試薬を含む、本発明1033のカートリッジ。
[本発明1035]
第一の試薬が、界面活性剤または他の表面活性剤を含む、本発明1034のカートリッジ。
[本発明1036]
第一の試薬が、酵素を含む、本発明1034のカートリッジ。
[本発明1037]
酵素が、リゾチームである、本発明1036のカートリッジ。
[本発明1038]
処理流体が、組織サンプルまたは他の不均質な生物学的物質を均質化することができる均質化溶液を含む、本発明1033のカートリッジ。
[本発明1039]
処理流体が、生細胞、組織または生物体の生物活性を減少させるかまたは除去することができる溶液を含む、本発明1033のカートリッジ。
[本発明1040]
処理流体が、出発物質の機械的破砕を引き起こすことができるガラスビーズまたは他の固形物質を含む、本発明1033のカートリッジ。
[本発明1041]
処理流体が、グリコーゲンまたは他の多糖を含む、本発明1033のカートリッジ。
[本発明1042]
処理流体が、キャリアRNAを含む、本発明1033のカートリッジ。
[本発明1043]
アクチュエータ流体を受け入れるための、かつ少なくとも1つの高性能流体アクチュエータに結合された第三の開口部をさらに含む、本発明1001のカートリッジ。
[本発明1044]
少なくとも1つの高性能流体アクチュエータ内部にアクチュエータ作動流体をさらに含む、本発明1001のカートリッジ。
[本発明1045]
流体通路のネットワークの一部分が、第二の試薬を含む、本発明1001のカートリッジ。
[本発明1046]
第二の試薬が、シリカビーズまたは粒子を含む、本発明1045のカートリッジ。
[本発明1047]
第二の試薬が、常磁性ビーズを含む、本発明1045のカートリッジ。
[本発明1048]
第二の試薬が、蛍光ビーズまたは蛍光分子を含む、本発明1045のカートリッジ。
[本発明1049]
第二の試薬が、化学発光分子を含む、本発明1045のカートリッジ。
[本発明1050]
化学発光分子が、アルカリホスファターゼ基質を含む、本発明1049のカートリッジ。
[本発明1051]
第二の試薬が、ランタニドまたはランタニドキレートを含む、本発明1045のカートリッジ。
[本発明1052]
第二の試薬が、モノクローナルまたはポリクローナル抗体を含む、本発明1045のカートリッジ。
[本発明1053]
モノクローナルまたはポリクローナル抗体が、シグナリング分子に連結されている、本発明1052のカートリッジ。
[本発明1054]
第二の試薬が、オリゴヌクレオチドプローブもしくはプライマー、プローブの組み合わせ、またはプライマーの組み合わせを含む、本発明1045のカートリッジ。
[本発明1055]
オリゴヌクレオチドプローブが、ヒト免疫不全ウイルスの遺伝物質の規定領域に特異的に結合する、本発明1054のカートリッジ。
[本発明1056]
オリゴヌクレオチドプローブが、C型肝炎ウイルスの遺伝物質の規定領域に特異的に結合する、本発明1054のカートリッジ。
[本発明1057]
オリゴヌクレオチドプローブが、B型肝炎ウイルスの遺伝物質の規定領域に特異的に結合する、本発明1054のカートリッジ。
[本発明1058]
オリゴヌクレオチドプローブが、マイコバクテリウム・ツベルクローシス（M. tuberculosis）細菌の遺伝物質の規定領域に特異的に結合する、本発明1054のカートリッジ。
[本発明1059]
オリゴヌクレオチドプローブが、クラミジア・トラコマチス（C. trachomatis）細菌の遺伝物質の規定領域に特異的に結合する、本発明1054のカートリッジ。
[本発明1060]
オリゴヌクレオチドプローブが、インフルエンザウイルス、呼吸器合胞体ウイルスまたはヒト気道の別のウイルスの遺伝物質の規定領域に特異的に結合する、本発明1054のカートリッジ。
[本発明1061]
オリゴヌクレオチドプローブが、癌遺伝子のDNAまたはRNAの規定領域に特異的に結合する、本発明1054のカートリッジ。
[本発明1062]
オリゴヌクレオチドプローブが、標識されている、本発明1054のカートリッジ。
[本発明1063]
標識が、蛍光性もしくは発光性シグナリング分子またはそのクエンチャーを含む、本発明1062のカートリッジ。
[本発明1064]
オリゴヌクレオチドプローブが、アプタマーを含む、本発明1054のカートリッジ。
[本発明1065]
第二の試薬が、光増感剤分子を含む、本発明1045のカートリッジ。
[本発明1066]
第二の試薬が、光活性指示体前駆体分子を含む、本発明1045のカートリッジ。
[本発明1067]
第二の試薬が、光増感剤分子および光活性指示体前駆体分子を含む、本発明1045のカートリッジ。
[本発明1068]
光増感剤分子および光活性指示体前駆体分子が、
ａ．1つまたは複数の増感剤、1つまたは複数の増感剤オリゴヌクレオチド、およびかかる増感剤と増感剤オリゴヌクレオチドとを同じ場所に位置させるためのマトリクスを含む、少なくとも1つの増感剤標識粒子;ならびに
ｂ．1つまたは複数のエミッタ剤、1つまたは複数の増感剤オリゴヌクレオチド、およびかかるエミッタ剤とエミッタオリゴヌクレオチドとを同じ場所に位置させるためのマトリクスを含む、少なくとも1つのエミッタ標識粒子
を含む、本発明1067のカートリッジ。
[本発明1069]
光増感剤分子が、一重項酸素分子を発生させる励起状態にあることができる、本発明1068のカートリッジ。
[本発明1070]
光活性指示体前駆体分子が、一重項酸素分子と反応して光活性指示体を形成することができる、本発明1068のカートリッジ。
[本発明1071]
第二の試薬が、量子ドットまたは他の結晶性半導体粒子を含む、本発明1045のカートリッジ。
[本発明1072]
第二の試薬が、核酸の配列非依存的測定のための核酸特異的な蛍光または発光色素を含む、本発明1045のカートリッジ。
[本発明1073]
第二の試薬が、フェルスター共鳴エネルギー転移（FRET）または他の共鳴エネルギー移動プロセスに関与することができる分子を含む、本発明1045のカートリッジ。
[本発明1074]
第二の試薬が、特異的細胞化合物の測定のための標識タンパク質、標識核酸または標識糖質種を含む、本発明1045のカートリッジ。
[本発明1075]
第二の試薬が、細胞の特異的または非特異的標識化のための色素を含む溶液を含む、本発明1045のカートリッジ。
[本発明1076]
第二の試薬が、プライマー、プローブ、またはプライマーとプローブとの組み合わせを含む、本発明1045のカートリッジ。
[本発明1077]
酵素が、ポリメラーゼ連鎖反応、転写介在増幅、核酸配列を基にした増幅、または少なくとも1つの特定された核酸配列を増幅するための別の化学反応を触媒することができる、本発明1076のカートリッジ。
[本発明1078]
酵素が、DNAポリメラーゼ、逆転写酵素、RNAポリメラーゼ、リボヌクレアーゼH、DNAヘリカーゼまたはリコンビナーゼを含む、本発明1076のカートリッジ。
[本発明1079]
出発物質が、流体相、流体を含んだマトリクスまたは固相を含む、本発明1000のカートリッジ。
[本発明1080]
出発物質が、血液、痰または他の体液を含む、本発明1000のカートリッジ。
[本発明1081]
出発物質が、生物組織を含む、本発明1000のカートリッジ。
[本発明1082]
出発物質が、薬剤またはワクチンのための原材料または中間物である、本発明1000のカートリッジ。
[本発明1083]
出発物質が、農産物である、本発明1000のカートリッジ。
[本発明1084]
出発物質が、土または別の環境サンプルである、本発明1000のカートリッジ。
[本発明1085]
第一の物質を含む第一の流体通路および第二の物質を含む第二の流体通路をさらに含む、本発明1000のカートリッジであって、該第一の流体通路および該第二の流体通路が、該マイクロ流体カートリッジ内に合流点を形成する、カートリッジ。
[本発明1086]
合流点が、T字合流点またはY字合流点である、本発明1085のカートリッジ。
[本発明1087]
合流点が、第一および第二の流体通路からの第一および第二の物質の融合から生じる1つまたは複数のマイクロ流体液滴の形成を可能にする、本発明1085のカートリッジ。
[本発明1088]
1つまたは複数の液滴が各々、分析物または試薬を含む、本発明1086のカートリッジ。
[本発明1089]
1つまたは複数の液滴が各々、少なくとも1つのプライマー、およびポリメラーゼ連鎖反応、転写介在増幅、核酸配列を基にした増幅、または少なくとも1つの標的核酸配列を増幅するための別の化学反応を触媒することができる酵素を含む、本発明1086のカートリッジ。
[本発明1090]
1つまたは複数の液滴が各々、標識を含む、本発明1086のカートリッジ。
[本発明1091]
第一または第二の物質が、処理流体を含む、本発明1085のカートリッジ。
[本発明1092]
1つまたは複数の液滴が各々、細胞を含む、本発明1086のカートリッジ。
[本発明1093]
複数の流体通路が、増幅反応の段階を実施するための異なる温度ゾーンを含む、本発明1001のカートリッジ。
[本発明1094]
複数の流体が、標識化またはハイブリダイゼーション反応を誘発するために、複数の流体通路内で合わされる、本発明1001のカートリッジ。
[本発明1095]
本発明1001〜1094のいずれかのマイクロ流体カートリッジ;および
動力源を含み、かつ電力を該マイクロ流体カートリッジに供給するように適合された装置
を含む、システム。
[本発明1096]
前記装置が、アッセイ結果の指標を感知するようにさらに適合されている、本発明1095のシステム。
[本発明1097]
センサーが、カートリッジ内部で発生した可視光線または別のタイプの電磁放射を感知する、本発明1095のシステム。
[本発明1098]
前記装置が、カートリッジ内部の常磁性ビーズの位置または分布を感知するようにさらに適合されている、本発明1095のシステム。
[本発明1099]
前記装置が、カートリッジ内部の種の電子スピン核磁気共鳴または他の物理的特性を感知するようにさらに適合されている、本発明1095のシステム。
[本発明1100]
マイクロ流体カートリッジ内で、複数の流体通路に接続され、かかる流体通路の間に少なくとも1つの合流点を含むチャネルに、第一の流体を提供する工程であって、該マイクロ流体カートリッジが、少なくとも1つの高速マイクロ流体アクチュエータをさらに含み、該少なくとも1つの高性能流体アクチュエータが、該カートリッジ内部の個別の構成要素であり、かつ該少なくとも1つの高性能流体アクチュエータが、少なくとも10-8ワットの、および動力を少なくとも30秒間持続することができる流体動力発生能力と、10秒未満の動力発生のための応答時間とを有する、工程;ならびに、
該第一の流体および第二の流体が、流体の交互栓を発生させるために該流体通路のネットワーク内に導入されるように、該マイクロ流体アクチュエータを時変方式で動作させる工程であって、各栓量の長さが、かかる流体通路のうちの最小の平均直径の5倍未満である、工程
を含む、方法。
[本発明1101]
高速マイクロ流体アクチュエータが、界面動電効果によって流体動力を生成する、本発明1100の方法。
[本発明1102]
界面動電効果が、電気浸透流によって発生される、本発明1101の方法。
[本発明1103]
電気浸透流が、細隙のアレイ内部で発生される、本発明1102の方法。
[本発明1104]
電気浸透流が、充填ビーズベッド内部で発生される、本発明1102の方法。
[本発明1105]
電気浸透流が、一体型多孔質構造内部で発生される、本発明1102の方法。
[本発明1106]
細胞膜内の少なくとも1つのタイプの分子に特異的な第二の流体内部の標識化分子または標識化粒子で、第一の流体内部の細胞のサブセットを標識する工程をさらに含む、本発明1100の方法。
[本発明1107]
第二の流体中に含有されている細胞透過色素で、第一の流体中の細胞を着色する工程をさらに含む、本発明1100の方法。
[本発明1108]
第二の流体中に含有されている光増感剤分子もしくは光活性指示体前駆体分子またはそれらの組み合わせで、第一の流体内部に含有されているDNAまたはRNAのサブセットを標識する工程をさらに含む、本発明1100の方法。
[本発明1109]
第二の流体中に含有されているランタニドキレートで、第一の流体内部に含有されているDNAまたはRNAのサブセットを標識する工程をさらに含む、本発明1100の方法。
[本発明1110]
第二の流体中に含有されている界面活性剤または他の表面活性剤で、第一の流体内部の細胞または他の生物学的物質を溶解する工程をさらに含む、本発明1100の方法。
[本発明1111]
界面活性剤が、ラウリル硫酸ナトリウムを含む、本発明1110の方法。
[本発明1112]
界面活性剤が、臭化ヘキサデシルトリメチルアンモニウムまたは別の陽イオン界面活性剤を含む、本発明1110の方法。
[本発明1113]
第一の流体内部の細胞または他の生物学的物質を酵素で溶解する工程をさらに含む、本発明1100の方法。
[本発明1114]
酵素が、リゾチームを含む、本発明1113の方法。
[本発明1115]
第一の流体からの組織サンプルまたは他の不均質な生物学的物質を均質化する工程をさらに含む、本発明1100の方法。
[本発明1116]
第一の流体中の生細胞、組織または生物体の生物活性を減少させる工程をさらに含む、本発明1100の方法。
[本発明1117]
生物活性を減少させる工程が、高塩基性溶液を使用することを含む、本発明1116の方法。
[本発明1118]
高塩基性溶液が、水酸化ナトリウムを含む、本発明1117の方法。
[本発明1119]
高塩基性溶液が、次亜塩素酸ナトリウムを含む、本発明1117の方法。
[本発明1120]
第二の流体中の機械的破砕のためのガラスビーズまたは他の固形物質で、第一の流体中の細胞または他の生物学的物質を溶解する工程をさらに含む、本発明1100の方法。
[本発明1121]
スワブまたは多孔質マトリクスと第一の流体とを混合する工程をさらに含む、本発明1100の方法。
[本発明1122]
スワブまたは多孔質マトリクス内部に結合されている土または他の環境サンプルを解放する工程をさらに含む、本発明1121の方法。
[本発明1123]
第一の流体が、樹状細胞を含む、本発明1100の方法。
[本発明1124]
攻撃に対する免疫応答の要素を誘導するために樹状細胞をパルスする工程をさらに含む、本発明1123の方法。
[本発明1125]
薬理学的物質またはワクチンを生成する工程をさらに含む、本発明1100の方法。
[本発明1126]
薬理学的物質の生物活性を増加させる工程をさらに含む、本発明1100の方法。
[本発明1127]
第一の流体内部に含有されているDNAまたはRNA分子をグリコーゲンに結合させる工程をさらに含む、本発明1100の方法。
[本発明1128]
第一の流体内部に含有されているDNAまたはRNA分子をシリカに結合させる工程をさらに含む、本発明1100の方法。
[本発明1129]
グリコーゲン複合または共沈DNAおよびRNAを精製する工程をさらに含む、本発明1127の方法。
[本発明1130]
シリカビーズまたはシリカ含有構造に結合されたDNAまたはRNA分子を精製する工程をさらに含む、本発明1128の方法。
[本発明1131]
グリコーゲンまたはシリカビーズもしくはシリカ含有構造から、DNAおよびRNAを溶離する工程をさらに含む、本発明1129または1130の方法。
[本発明1132]
第一の流体中の分析物の存在または非存在を検出する工程をさらに含む、本発明1100〜1131のいずれかの方法。
[本発明1133]
検出する工程が、分析物に結合されている化学発光または蛍光分子からの可視光線または別のタイプの電磁放射を感知することを含む、本発明1132の方法。
[本発明1134]
検出する工程が、分析物に結合されている常磁性ビーズの位置または分布を感知することを含む、本発明1132の方法。
[本発明1135]
検出する工程が、分析物に結合されている種の核磁気共鳴または他の物理的特性を感知することを含む、本発明1132の方法。
[本発明1136]
複数の流体通路内で複数の微液滴を発生させる工程をさらに含む、本発明1100の方法。
[本発明1137]
複数の微液滴が、少なくとも2つの流体を脈動させることによって形成され、該脈動させることが、マイクロ流体カートリッジ内の複数の高速マイクロ流体アクチュエータによって生じる、本発明1136の方法。
[本発明1138]
複数の微液滴の各々の中の分析物の存在または非存在を検出する工程をさらに含む、本発明1136の方法。
[本発明1139]
マイクロ流体カートリッジ内の複数の温度ゾーンを通過して複数の微液滴を移動させることによって、複数の微液滴の各々において増幅反応を実施する工程をさらに含む、本発明1136の方法。
[本発明1140]
複数の微液滴の各々の中の標的アンプリコンの存在を検出する工程をさらに含む、本発明1139の方法。
[本発明1141]
複数の微液滴の各々の中の標的核酸分子の融解温度を測定する工程をさらに含む、本発明1136の方法。
[本発明1142]
参考菌株からのウイルスRNAの遺伝学的相違の融解温度分析を実施する工程をさらに含む、本発明1141の方法。